(57)【要約】【課題】挿入されたカードの不正な抜き出しを防止するカード抜き出し防止機構、及びそのカード抜き出し機構を備えたカード読取装置及び遊技媒体貸出装置を提供する。【解決手段】本発明を適用したカード抜き出し防止機構は、挿入口に挿入されたカードを所定方向に沿って移動させることにより、カードを着脱可能なガイドレール（５１ａ、５１ｂ）を有し、挿入されたカードを保持するフォルダ５と、フォルダ５に保持されたカードを所定位置まで挿入する際、フォルダ５が、所定方向と異なる方向に移動して所定位置に到達するように、フォルダ５を誘導するガイド部６１と、フォルダ５が所定位置にある場合、フォルダ５に保持されたカードを所定方向に沿って移動することを制限する係止部１０とを有する。【選択図】図２
2008295943.tif 000002
【特許請求の範囲】
【請求項１】
挿入口に挿入されたカードの抜き出しを防止するカード抜き出し防止機構であって、
カードを所定方向に沿って移動させることにより、カードを着脱可能なガイドレールを有し、挿入されたカードを保持するフォルダと、
前記フォルダに保持されたカードを所定位置まで挿入する際、前記フォルダが、前記所定方向と異なる方向に移動して該所定位置に到達するように、前記フォルダを誘導するガイド部と、
前記フォルダが前記所定位置にある場合、前記フォルダに保持されたカードを前記所定方向に沿って移動することを制限する係止部と、
を有することを特徴とするカード抜き出し防止機構。
【請求項２】
カードを挿入するための挿入口と、
カードを所定方向に沿って移動させることにより、カードを着脱可能なガイドレールを有し、挿入されたカードを保持するフォルダと、
前記フォルダに保持されたカードを読取位置まで挿入する際、前記フォルダが、前記所定方向と異なる方向に移動して該読取位置に到達するように、前記フォルダを誘導するガイド部と、
前記フォルダが前記読取位置にある場合、前記フォルダに保持されたカードを前記所定方向に沿って移動することを制限する係止部と、
前記読取位置に挿入されたカードに記載された情報を読み出し、または該カードに対して所定の情報を書き込むリードライト部と、
を有することを特徴とするカード読取装置。
【請求項３】
遊技媒体の貸出を行う遊技媒体貸出装置であって、
有価価値を表す有価価値情報が記載されたカードから該有価価値情報を読み出し、所定の貸出量を前記有価価値情報から減算することによって修正した有価価値情報をカードに書き込むカード読取部と、
前記所定の貸出量に相当する量の遊技媒体を遊技者に貸し出す命令を遊技機に送信する制御部とを有し、
前記カード読取部は、
カードを挿入するための挿入口と、
カードを所定方向に沿って移動させることにより、カードを着脱可能なガイドレールを有し、挿入されたカードを保持するフォルダと、
前記フォルダに保持されたカードを読取位置まで挿入する際、前記フォルダが、前記所定方向と異なる方向に移動して該読取位置に到達するように、前記フォルダを誘導するガイド部と、
前記フォルダが前記読取位置にある場合、前記フォルダに保持されたカードを前記所定方向に沿って移動することを制限する係止部と、
前記読取位置に挿入されたカードから、前記有価価値情報を読み出し、または該カードに対して前記修正された有価価値情報を書き込むリードライト部と、
を有することを特徴とする遊技媒体貸出装置。
【発明の詳細な説明】
【技術分野】
【０００１】
本発明は、カード抜き出し防止機構、カード読取装置及び遊技媒体貸出装置に関し、特に、有価価値が記載されたカードを参照して、遊技機の遊技媒体の貸出を行う遊技媒体貸出装置、及びその遊技媒体貸出装置に実装されるカード読取装置のカード抜き出し防止機構に関する。
【背景技術】
【０００２】
近年、パチンコ機などの遊技機で使用する玉の貸出に、プリペイドカードを応用したシステムが使用されている。そのシステムでは、プリペイドカードに記載された残高を読み取り、その残高の範囲で所定数量の玉を貸し出す遊技媒体貸出装置が使用されている。このような遊技媒体貸出装置では、プリペイドカードに記載されたデータの読み書きの失敗防止、及び不正防止のために、カード挿入部に挿入されたプリペイドカードが不正に抜き出されることを防止する必要がある。そこで、カード挿入部の出入口にシャッタ機構を備え、プリペイドカードがカード挿入部に挿入されると、シャッタが閉じてプリペイドカードを隠蔽し、外からプリペイドカードを取り出せないようにしたパチンコカード玉貸装置が開発されている（特許文献１参照）。
【０００３】
【特許文献１】特開平１０−５７６０２号公報
【発明の開示】
【発明が解決しようとする課題】
【０００４】
しかし、このような装置では、プリペイドカードの返却時に、部品の磨耗などによってシャッタを開放するタイミングとプリペイドカードの排出動作のタイミングがずれると、プリペイドカードがカード挿入部内に詰まってしまうという不具合を生じるおそれがあった。
【０００５】
またそのような不具合を発生しないようにするためには、シャッタ機構とプリペイドカードの排出機構を構成する部品の精度、耐久性などを高く設定しなければならず、装置のコストを押し上げる要因となる。
【０００６】
上記の課題に鑑み、本発明は、挿入されたカードの不正な抜き出しを防止するカード抜き出し防止機構、及びそのカード抜き出し機構を備えたカード読取装置及び遊技媒体貸出装置を提供することを目的とする。
また本発明は、挿入されたカードが詰まらないようにしたカード抜き出し防止機構、及びそのカード抜き出し機構を備えたカード読取装置及び遊技媒体貸出装置を提供することを目的とする。
【課題を解決するための手段】
【０００７】
本発明の第１の形態によれば、挿入口に挿入されたカードの抜き出しを防止するカード抜き出し防止機構が提供される。係るカード抜き出し防止機構は、カードを所定方向に沿って移動させることにより、カードを着脱可能なガイドレールを有し、挿入されたカードを保持するフォルダと、フォルダに保持されたカードを所定位置まで挿入する際、そのフォルダが、所定方向と異なる方向に移動してその所定位置に到達するように、フォルダを誘導するガイド部と、フォルダがその所定位置にある場合、フォルダに保持されたカードを所定方向に沿って移動することを制限する係止部とを有する。
【０００８】
また本発明の第２の形態によれば、カード読取装置が提供される。係るカード読取装置は、カードを挿入するための挿入口と、カードを所定方向に沿って移動させることにより、カードを着脱可能なガイドレールを有し、挿入されたカードを保持するフォルダと、フォルダに保持されたカードを読取位置まで挿入する際、フォルダが、所定方向と異なる方向に移動して読取位置に到達するように、フォルダを誘導するガイド部と、フォルダが読取位置にある場合、フォルダに保持されたカードを所定方向に沿って移動することを制限する係止部と、読取位置に挿入されたカードに記載された情報を読み出し、またはカードに対して所定の情報を書き込むリードライト部とを有する。
【０００９】
さらに本発明の第３の形態によれば、遊技媒体の貸出を行う遊技媒体貸出装置が提供される。係る遊技媒体貸出装置は、有価価値を表す有価価値情報が記載されたカードからその有価価値情報を読み出し、所定の貸出量を有価価値情報から減算することによって修正した有価価値情報をカードに書き込むカード読取部と、所定の貸出量に相当する量の遊技媒体を遊技者に貸し出す命令を遊技機に送信する制御部とを有する。そしてカード読取部は、カードを挿入するための挿入口と、カードを所定方向に沿って移動させることにより、カードを着脱可能なガイドレールを有し、挿入されたカードを保持するフォルダと、フォルダに保持されたカードを読取位置まで挿入する際、フォルダが、所定方向と異なる方向に移動して読取位置に到達するように、フォルダを誘導するガイド部と、フォルダが読取位置にある場合、フォルダに保持されたカードを所定方向に沿って移動することを制限する係止部と、読取位置に挿入されたカードに記載された有価価値情報を読み出し、またはカードに対して修正された有価価値情報を書き込むリードライト部とを有する。
【発明の効果】
【００１０】
本発明によれば、挿入されたカードの不正な抜き出しを防止するカード抜き出し防止機構、及びそのカード抜き出し機構を備えたカード読取装置及び遊技媒体貸出装置を提供することが可能となった。
また本発明によれば、挿入されたカードが詰まらないようにしたカード抜き出し防止機構、及びそのカード抜き出し機構を備えたカード読取装置及び遊技媒体貸出装置を提供することが可能となった。
【発明を実施するための最良の形態】
【００１１】
以下、図面を参照しつつ本発明を適用したカード読取装置について詳細に説明する。本発明を適用したカード読取装置は、挿入方向に沿って移動させることによりＩＣカードを着脱可能なフォルダを有し、ＩＣカードを挿入口の奥側へ挿入するにつれて、そのフォルダを、その挿入方向に対して下側へスライドするように、読取位置まで誘導する。そして、挿入口の下端近傍に設けられたカードストッパにより、ＩＣカードの挿入方向に沿った移動を制限して、読取位置まで挿入されたＩＣカードの抜き出しを防止する構成としたものである。
【００１２】
図１（ａ）及び（ｂ）に、本発明を適用したカード読取装置１の概略正面図及び概略側面図を示す。図１（ａ）及び（ｂ）に示すように、カード読取装置１は、ＩＣカード１１を装着するためのカード装着部２を有する。またカード装着部２の前面には、カードを挿入するための挿入口３が形成される。さらにカード装着部２の側面には、読取位置まで挿入されたＩＣカード１１との間で通信を行って、ＩＣカード１１に記載された情報の読み書きを行うアンテナ４が備えられる。またカード読取装置１は、ＩＣカード１１から読み取った情報を処理したり、他の機器との間で情報の通信を行うための制御基板（図示せず）などを内蔵する。
【００１３】
図２に、カード装着部２の概略側面断面図を示す。また図３に、カード装着部２の分解斜視図を示す。図２及び図３に示すように、カード装着部２は、カードフォルダ５、ケース６、ロック機構７、センサ８、バネ９及びカードストッパ１０を有する。
【００１４】
カードフォルダ５は、挿入口３に挿入されたＩＣカード１１を保持し、ＩＣカードの着脱が可能な着脱位置、すなわち、挿入口３に最も近い位置から、ＩＣカード１１に記載された情報の読み取りが可能な読取位置、すなわち、挿入口３から最も離れた位置まで、ＩＣカード１１を搬送する。
【００１５】
カードフォルダ５の上端部と下端部には、ＩＣカード１１を保持するためのガイドレール５１ａ、５１ｂが形成されている。そして、ＩＣカード１１を、ガイドレール５１ａ、５１ｂに沿って移動させることにより、カードフォルダ５に着脱することができる。また図２及び図３から明らかなように、ガイドレール５１ａ、５１ｂは、挿入口３に直交する方向、すなわち、挿入方向に略平行に形成されている。
【００１６】
カードフォルダ５の下部側面には、突起部５２が形成されている。この突起部５２は、ケース６の側面に形成された、カードフォルダ５が移動可能な方向を規定するガイド溝６１と係合する。ガイド溝６１は、カードフォルダ５が着脱位置から読取位置へ移動するにつれて下側へスライドするよう、挿入口３から離れるにつれて下方へ向かう傾斜した形状に形成されている。そして、カードフォルダ５は、ガイド溝６１に沿って、着脱位置と読取位置の間を移動する。
【００１７】
ロック機構７は、挿入口３と反対側の端部に設置され、読取位置に到達したカードフォルダ５を固定する。ロック機構７は、カードフォルダ５に掛合させるための掛合部７１と、掛合部７１を上下方向に移動させるための駆動部７２を有する。そして、ロック機構７の掛合部７１は、カードフォルダ５が読取位置まで移動すると、カードフォルダ５の先端の爪５３と掛合し、カードフォルダ５を固定する。また、カードフォルダ５に保持されたＩＣカード１１を返却するとき、ロック機構７の駆動部７２は、図示しない制御基板からの制御信号により、掛合部７１を上方に退避させ、カードフォルダ５の爪５３との掛合を外す。
【００１８】
センサ８は、ケース６の側面に設置され、カードフォルダ５が読取位置に到達したことを検知する。センサ８は、例えば、ケース６の一方の側面に設置された発光部と他方の側面に設置された検出器からなるフォトセンサで構成される。そしてセンサ８は、カードフォルダ５が読取位置に到達すると、発光部からの光がカードフォルダ５に遮られて検出器に届かなくなることで、カードフォルダ５が読取位置に到達したことを検知する。なお、センサ８として、接触センサなど、他のセンサを用いてもよい。
センサ８は、カードフォルダ５を検知すると、検知したことを示す信号を制御基板に送信する。
【００１９】
バネ９は、その一端がケース６に固定され、他端がカードフォルダ５と接触し、カードフォルダ５を挿入するにつれて変形量が大きくなるように配置される。そしてバネ９は、カードフォルダ５とロック機構７の掛合が外れると、その復元力によってカードフォルダ５を挿入口３側へ移動させる。
【００２０】
カードストッパ１０は、挿入口３の外側、下端近傍に設置される。またカードストッパ１０は、その先端部１０ａが上方に向けて屈曲するように形成されており、カードフォルダ５が読取位置にある場合、カードフォルダ５に保持されているＩＣカード１１を係止して、その引き抜きを防止する。
この様子を図４及び図５を用いて説明する。図４（ａ）に、カードフォルダ５を着脱位置に配置した状態、すなわち、ＩＣカード１１の挿入または取り出しが可能な状態に相当する、カード装着部２の概略断面図を示す。この状態では、カードフォルダ５の下端側のガイドレール５１ｂが、カードストッパ１０の先端部１０ａよりも上に位置している。そのため、ＩＣカード１１を、カードストッパ１０と接触させずにガイドレール５１ａ、５１ｂに沿って移動させることができる。したがって、ＩＣカード１１をカードフォルダ５に着脱させることができる。
【００２１】
一方、図４（ｂ）に、カードフォルダ５を読取位置まで移動させた状態に相当する、カード装着部２の概略断面図を示す。また図５に、図４（ｂ）の状態において、ＩＣカード１１を強制的に抜き出そうとした様子を表すカード装着部２の概略断面図を示す。この状態では、カードフォルダ５は、着脱位置と比較して下方へスライドしている。そのため、カードフォルダ５の下端側のガイドレール５１ｂが、カードストッパ１０の先端部１０ａよりも下方に位置している。そのため、図５に示すように、カードフォルダ５に保持されたＩＣカード１１を引き抜こうとすると、ＩＣカード１１はガイドレール５１ａ、５１ｂに沿った方向にしか移動できないため、カードストッパ１０の先端部１０ａと衝突する。そのため、カードフォルダ５が読取位置にある場合、ＩＣカード１１を引き抜くことはできない。
【００２２】
以上説明してきたように、本発明を適用したカード読取装置１は、ＩＣカードを保持するカードフォルダ５を、着脱位置から読取位置まで移動する際、挿入方向と異なる方向にスライドさせ、読取位置において挿入されたＩＣカード１１の挿入方向の移動を制限するカードストッパを設けたことにより、ＩＣカード１１の不正な抜き出しを防止することができる。また、カード読取装置１は、ＩＣカードの抜き出し防止のために、シャッタ機構のようなＩＣカードの搬送とは別個に制御しなければならない機構を必要としないので、構成が簡単となり、カード詰まりなどの不具合を生じる危険性を大幅に低減することができる。
【００２３】
なお、上述してきた実施形態は、本発明を説明するためのものであり、本発明は、これらの実施形態に限定されるものではない。例えば、カードストッパを挿入口の上端近傍に設置し、ＩＣカードを奥に挿入するにつれて、カードフォルダが上方へスライドするように構成してもよい。あるいは、カードストッパを挿入口の一方の側面に設け、ＩＣカードを奥に挿入するにつれて、カードフォルダがカードストッパの設置された側面の方へ移動するように構成してもよい。さらに、カードフォルダをモータなどを用いて駆動する構成とし、ＩＣカードを読取位置まで挿入すると、ＩＣカード全体がカード装着部の内部に入るとともに、挿入口の一端がカードストッパの役割を担うように構成してもよい。
【００２４】
次に、本発明を適用した遊技媒体貸出装置について説明する。この遊技媒体貸出装置は、ＩＣカードに記載された有価価値情報を読み取り、その有価価値情報に示された有価価値の残高の範囲で、所定の貸出量の遊技媒体（例えば、パチンコ玉）を貸し出す命令を、パチンコ機などの遊技機に対して送信するものである。
図６は、本発明を適用した遊技媒体貸出装置１００の概略斜視図を示す。図６に示すように、遊技媒体貸出装置１００は、カード読取部１０１と、紙幣識別部１０２と、ユーザインターフェース部１０３と、制御部１０４とを有する。また図７に、遊技媒体貸出装置１００の機能ブロック図を示す。遊技媒体貸出装置１００は、通信回線を介して、遊技機１１０及び発行済みのＩＣカードを管理する有価価値媒体管理装置１２０と通信可能に接続されている。
【００２５】
カード読取部１０１は、遊技媒体貸出装置１００の最下部に配置され、挿入されたＩＣカード１１から、そのＩＣカード１１に記載された有価価値情報、ＩＣカード１１の識別情報などを読み取り、制御部１０４に送信する。またカード読取部１０１は、制御部１０４から、受信した有価価値情報などをＩＣカード１１に書き込む。なお、カード読取部１０１は、上述した実施形態のカード読取装置１と同様の構成を有するため、ここでは詳細な構成の説明を省略する。
【００２６】
紙幣識別部１０２は、遊技媒体貸出装置１００の最上部に配置され、投入された紙幣を識別し、その額を算出して制御部１０４に送信する。なお紙幣識別部１０２は、紙幣を識別するための公知の様々な装置で構成できるため、ここでは詳細な構成の説明を省略する。
【００２７】
ユーザインターフェース部１０３は、遊技媒体貸出装置１００の略中央、かつ遊技媒体貸出装置１００の前面に配置される。そしてユーザインターフェース部１０３は、液晶ディスプレイなどの表示装置で構成される。またユーザインターフェース部１０３は、テンキーなどの入力装置を備えてもよく、あるいは、タッチパネルディスプレイなどのように、入力装置と表示装置が一体として構成されるものでもよい。そしてユーザインターフェース部１０３は、制御部１０４から受信した情報に基づき、カード読取部１０１に挿入されたＩＣカード１１から読み取った有価価値の残高、紙幣識別部１０２に投入された紙幣の額、貸し出される遊技媒体の量などを表示する。またユーザインターフェース部１０３は、表示装置を通じて暗証番号の入力を遊技者に求め、入力装置を通じて入力された暗証番号を制御部１０４に送信するように構成してもよい。
【００２８】
制御部１０４は、遊技媒体貸出装置１００の内部に配置され、マイクロプロセッサ、ＲＯＭ、ＲＡＭなどを有する電子回路で構成される。そして制御部１０４は、カード読取部１０１から受信した有価価値情報に示された有価価値の残高の範囲で、遊技媒体を貸し出す命令を遊技機に送信する。以下、制御部１０４で行われる処理を具体的に説明する。
【００２９】
制御部１０４は、カード読取部１０１から有価価値情報を受信すると、その有価価値情報に示された有価価値の残高と、遊技媒体の１回当たりの貸出量に相当する所定価値を比較する。なお、その所定価値は、予め設定されている。制御部１０４は、有価価値の残高が、所定価値よりも大きい場合、遊技機に対して、１回当たりの貸出量に相当する遊技媒体を貸し出す命令を送信する。また制御部１０４は、有価価値の残高から所定価値を差し引いた残りの残高をカード読取部１０１へ送信し、ＩＣカード１１に書き込ませる。さらに制御部１０４は、その残りの残高をユーザインターフェース部１０３に表示させる。一方、有価価値の残高が所定価値よりも小さい場合、制御部１０４は、ユーザインターフェース部１０３を通じて、遊技者に遊技媒体の貸出を行えないことを通知する。
【００３０】
また制御部１０４は、紙幣識別部１０２に紙幣が投入され、その投入額を紙幣識別部１０２から受信すると、有価価値の残高にその投入額を加えた額を新たな残高とし、その残高をカード読取部１０１へ送信して、ＩＣカード１１に書き込ませる。さらに制御部１０４は、その新たな残高をユーザインターフェース部１０３に表示させる。
なお、ＩＣカード１１に認証情報が設定されている場合、制御部１０４は、有価価値媒体管理装置１２０からそのＩＣカード１１の使用許可信号を受信した場合に限り、上記の処理を行う。
【００３１】
さらに制御部１０４は、ＩＣカード１１から読み取ったＩＣカードの識別情報とともに、修正された有価価値の残高を、有価価値媒体管理装置１２０に送信する。有価価値媒体管理装置１２０では、受信した識別情報で特定されるＩＣカードの履歴情報に、受信した有価価値の残高を書き込み、その履歴情報を更新する。
また有価価値媒体管理装置１２０に、各ＩＣカードの認証情報が記録されている場合、制御部１０４は、ＩＣカードの識別情報とともに、ユーザインターフェース部１０３を介して入力された暗証番号を有価価値媒体管理装置１２０を送信する。有価価値媒体管理装置１２０では、受信した暗証番号と記録している認証情報とを照合する。そして照合に成功した場合、有価価値媒体管理装置１２０は、遊技媒体貸出装置１００にＩＣカード１１の使用許可信号を送信する。
【００３２】
本発明を適用した遊技媒体貸出装置１００においても、カード読取部１０１のカード詰まりが防止されるため、遊技中にカード詰まりを生じて遊技者が不便を感じるといった不具合を防止することができる。
【００３３】
以上、本発明を適用した遊技媒体貸出装置について説明してきたが、本発明はＩＣカードに記載された情報を処理する他のタイプの処理装置にも適用できる。例えば、本発明は、ＩＣカードに記載された個人識別情報を参照するためのカード処理装置にも適用できる。図８に、このカード処理装置２００の概略正面図を示す。カード処理装置２００は、例えば遊技機２１０に隣接して設置され、カード読取部２０１と、ユーザインターフェース部２０２と、内蔵された制御部（図示せず）及び通信部（図示せず）を有する。なお、カード読取部２０１は、上記のカード読取装置１と同様の構成を有する。またユーザインタフェース部２０２は、液晶ディスプレイなどで構成される。さらに制御部は、マイクロプロセッサ、ＲＯＭ、ＲＡＭなどを有する電子回路で構成され、通信部は、所定の通信プロトコルに従って他の機器との間でデータの通信を行う通信インターフェースと、その制御回路などで構成される。
【００３４】
カード読取部２０１は、挿入されたＩＣカードから、そのＩＣカードに記載された個人識別情報を取得し、制御部に送信する。制御部では、個人識別情報を取得すると、通信部を介して遊技場全体を管理する遊技場管理装置などから、遊技場内に設置された各遊技機の状況を表す状態情報や、空席情報を取得する。そして制御部は、それらの状態情報や空席情報をユーザインタフェース部２０２に表示させる。
このように、本発明は、ＩＣカードに記載された情報を読み取って処理する様々な装置に適用することができる。
【図面の簡単な説明】
【００３５】
【図１】（ａ）は本発明を適用したカード読取装置の概略正面図であり、（ｂ）は、本発明を適用したカード読取装置の概略側面図である。
【図２】カード装着部の概略側面断面図である。
【図３】カード装着部の分解斜視図である。
【図４】（ａ）はカードフォルダを着脱位置に配置した状態における、カード装着部の概略断面図であり、（ｂ）はカードフォルダ５を読取位置まで移動させた状態における、カード装着部の概略断面図である。
【図５】図４（ｂ）の状態において、ＩＣカードを強制的に抜き出そうとした様子を表す図である。
【図６】本発明を適用した遊技媒体貸出装置の概略斜視図である。
【図７】遊技媒体貸出装置の機能ブロック図である。
【図８】本発明を適用したカード処理装置の概略正面図である。
【符号の説明】
【００３６】
１    カード読取装置
２    カード装着部
３    挿入口
４    アンテナ（リードライト部）
５    カードフォルダ
５１ａ、５１ｂ    ガイドレール
５２    突起部
５３    爪
６    ケース
６１    ガイド溝（ガイド部）
７    ロック機構
７１    掛合部
７２    駆動部
８    センサ
９    バネ
１０    カードストッパ（係止部）
１０ａ    先端部
１１    ＩＣカード
１００    遊技媒体貸出装置
１０１    カード読取部
１０２    紙幣識別部
１０３    ユーザインターフェース部
１０４    制御部
１１０、２１０    遊技機
１２０    有価価値媒体管理装置
２００    カード処理装置
２０１    カード読取部
２０２    ユーザインタフェース部
【図１】
2008295943.tif 000003
【図２】
2008295943.tif 000004
【図３】
2008295943.tif 000005
【図４】
2008295943.tif 000006
【図５】
2008295943.tif 000007
【図６】
2008295943.tif 000008
【図７】
2008295943.tif 000009
【図８】
2008295943.tif 000010